【事件の表示】
　特願２０１２−５１０７６０「多重アンテナシステムにおける参照信号送信方法及び装置」拒絶査定不服審判事件〔平成２２年１１月２５日国際公開，ＷＯ２０１０／１３４７７３，平成２４年１１月　１日国内公表，特表２０１２−５２７１５４〕について，次のとおり審決する。
【結　論】
　本件審判の請求は，成り立たない。
【理　由】
第１　手続の経緯
　本願は，２０１０年５月２０日（パリ条約による優先権主張外国庁受理　２００９年５月２１日　米国）を国際出願日とする出願であって，平成２６年２月２８日付けで最後の拒絶理由が通知され，同年５月２２日付けで手続補正がなされたが，同年６月１３日付けで補正の却下の決定がなされるとともに同日付けで拒絶査定がなされ，これに対し，同年９月２９日に拒絶査定に対する審判請求がなされるとともに同日付けで手続補正がなされたものである。
第２　補正却下の決定
［結論］
　平成２６年９月２９日付けの手続補正を却下する。
　
［理由］
１　本願発明と補正後の発明
　平成２６年９月２９日付けの手続補正（以下，「本件補正」という。）は，平成２５年１０月２日付け手続補正書により補正された特許請求の範囲の請求項１に記載された
「【請求項１】
　無線通信システムにおいてＰＵＳＣＨ（ｐｈｙｓｉｃａｌ　ｕｐｌｉｎｋ　ｓｈａｒｅｄ　ｃｈａｎｎｅｌ）のためのＤＭＲＳ（ｄｅｍｏｄｕｌａｔｉｏｎ　ｒｅｆｅｒｅｎｃｅ　ｓｉｇｎａｌ）を送信する方法であって，
　前記方法は，
　第１，第２，第３および第４のＤＭＲＳシーケンスを生成することであって，前記第１，第２，第３および第４のＤＭＲＳシーケンスは，それぞれ，第１，第２，第３および第４のレイヤに関連し，第１，第２，第３および第４の循環シフトが，それぞれ，前記第１，第２，第３および第４のＤＭＲＳシーケンスに割り当てられている，ことと，
　２つのスロットに含まれるリソース要素（ＲＥ）に前記第１，第２，第３および第４のＤＭＲＳシーケンスをマッピングすることであって，前記２つのスロットのうちの第２のスロットにおいてマッピングされた第１および第２のＤＭＲＳシーケンスには，１がかけられ，前記２つのスロットのうちの第２のスロットにおいてマッピングされた第３および第４のＤＭＲＳシーケンスには，−１がかけられる，ことと，
　前記第１，第２，第３および第４のＤＭＲＳシーケンスを基地局に送信することと
　を含み，
　前記第１，第２，第３および第４の循環シフトは，それぞれ，第１，第２，第３および第４のパラメータに基づいて決定され，
　前記第１および第２のパラメータは，可能な循環シフトの総数に対応する最大値だけ離れており，
　前記第３および第４のパラメータは，可能な循環シフトの総数に対応する最大値だけ離れている，方法。」
という発明（以下，「本願発明」という。）を，
「【請求項１】
　無線通信システムにおいてＰＵＳＣＨ（ｐｈｙｓｉｃａｌ　ｕｐｌｉｎｋ　ｓｈａｒｅｄ　ｃｈａｎｎｅｌ）のためのＤＭＲＳ（ｄｅｍｏｄｕｌａｔｉｏｎ　ｒｅｆｅｒｅｎｃｅ　ｓｉｇｎａｌ）を送信する方法であって，
　前記方法は，
　第１，第２，第３および第４のＤＭＲＳシーケンスを生成することであって，前記第１，第２，第３および第４のＤＭＲＳシーケンスは，それぞれ，第１，第２，第３および第４のレイヤに関連し，第１，第２，第３および第４の循環シフトが，それぞれ，前記第１，第２，第３および第４のＤＭＲＳシーケンスに割り当てられている，ことと，
　２つのスロットに含まれるリソース要素（ＲＥ）に前記第１，第２，第３および第４のＤＭＲＳシーケンスをマッピングすることであって，前記２つのスロットのうちの第２のスロットにおいてマッピングされた第１および第２のＤＭＲＳシーケンスには，１がかけられ，前記２つのスロットのうちの第２のスロットにおいてマッピングされた第３および第４のＤＭＲＳシーケンスには，−１がかけられる，ことと，
　前記第１，第２，第３および第４のＤＭＲＳシーケンスを基地局に送信することと
　を含み，
　前記第１，第２，第３および第４の循環シフトは，それぞれ，第１，第２，第３および第４のパラメータに基づいて決定され，
　前記第１および第２のパラメータは，可能な循環シフトの総数に対応する最大値だけ離れており，
　前記第３および第４のパラメータは，可能な循環シフトの総数に対応する最大値だけ離れており，
　前記第３のパラメータは，前記第１のパラメータと前記第２のパラメータとの間の中間値だけ前記第１および第２のパラメータの各々から離れており，
　前記可能な循環シフトの総数は１２である，方法。」
という発明（以下，「補正後の発明」という。）に変更することを含むものである。
　なお，本件補正は，平成２６年６月１３日付けで補正の却下の決定がなされた平成２６年５月２２日付けの手続補正と同一のものである。
２　補正の適否
（１）新規事項の有無，シフト補正の有無，補正の目的要件
　上記補正は，願書に最初に添付した明細書，特許請求の範囲又は図面に記載した事項の範囲内において，本願発明の「第３のパラメータ」及び「可能な循環シフトの総数」について「前記第３のパラメータは，前記第１のパラメータと前記第２のパラメータとの間の中間値だけ前記第１および第２のパラメータの各々から離れており，前記可能な循環シフトの総数は１２である」との限定を付して，特許請求の範囲を減縮するものである。
　請求項６についての補正も，請求項１についての上記補正と同様である。
　したがって，本件補正は，特許法第１７条の２第３項及び第４項の規定に適合することは明らかであり，また，同法第１７条の２第５項第２号に掲げる特許請求の範囲の減縮を目的とするものに該当する。
（２）独立特許要件
　請求項１についての上記補正は，特許請求の範囲の減縮を目的とするものであるから，補正後の発明が特許出願の際独立して特許を受けることができるものであるのか否かについて，以下検討する。
ア　補正後の発明
　補正後の発明は，上記「１　本願発明と補正後の発明」の項の「補正後の発明」のとおりのものと認める。
イ　引用発明及び公知の技術事項
［引用発明］
　原査定の拒絶の理由に引用されたNOKIA，Reference Signal structure for LTE-Advanced UL SU-MIMO（［当審仮訳］：ＬＴＥ−Ａｄｖａｎｃｅｄ　アップリンク　ＳＵ−ＭＩＭＯのための参照信号構造），3GPP TSG-RAN WG1 Meeting #57，２００９年５月４日，R1-091772（以下，「引用例」という。）には，図面とともに以下の事項が記載されている。
　
（ア）「Contents
　　This contribution provides a way forward proposal  for uplink SU-MIMO reference signal (RS) arrangement on PUSCH:　」（２枚目のスライド）
（［当審仮訳］：
目次
　この寄稿は，ＰＵＳＣＨ上のアップリンクＳＵ−ＭＩＭＯの参照信号（ＲＳ）の配置のための前向きの提案を提供する：　）
（イ）「
」（４枚目のスライド）
（［当審仮訳］：
レイヤ間／Ｔｘアンテナ間のＲＳ多重化
・異なる空間レイヤ及びＴｘアンテナ間のＤＭ　ＲＳの多重化のための提案
　−ＤＭ　ＲＳの多重化は，２つのＣＤＭの原則に基づいている
　−循環シフト（ＣＳ）分離は，主たる多重化スキームである
　−直交カバーコード（ＯＣＣ）分離は，補足的な多重化スキームとして使　　用される
　　・コードは｛＋１，＋１｝と｛＋１，−１｝
　理由：
　−直交カバーコード分離は，既知の制限を被る
　　・（非ホッピングＰＵＳＣＨと仮定すると）ＣＳ／サブフレーム当たり　　　２つの並列なＤＭ　ＲＳリソースだけ提供できる
　　・ＲＳの直交性は，ＵＥの速度に敏感である
　　・サブフレーム間ＰＵＳＣＨホッピング（１ＲＳブロック／スロットの　　　み）と互換性がない
　−それにもかかわらず，ＯＣＣ分離の使用は，明らかなシステムの利点を　　提供することができる
　　・ＣＳ空間が制限されていない場合の，改善されたＤＭ　ＲＳの直交性
　　・最小化されたＣＳ消費
　　　→ＭＵ−ＭＩＭＯのペアリングのための追加的な余裕
・Ｔｘアンテナ間のサウンディング参照信号（ＳＲＳ）の多重化の提案
　−Ｒｅｌ’８原則の再利用（ＣＳ分離，ＩＦＤＭ分離）　　）
（ウ）「
」（５枚目のスライド）
（［当審仮訳］：
ＤＭ　ＲＳ設定
・Ｒｅｌ’８の動的シグナリング（ＤＣＩフォーマット０に含まれるＣＳフィールド）は，ＳＵ−ＭＩＭＯでも十分である
　−シグナリングされたＲｅｌ’８のＣＳリソースは，第１のレイヤ／アン　　テナのＣＳに対応する
　−追加のレイヤ／アンテナのためのＣＳリソースは，シグナリングされた　　ＣＳリソースから派生する
　　・占有されたＣＳリソース間の固定的（設定可能？）なＣＳ増分値
　　　ΔＣＳを使用することができる
・直交カバーコードは，予約されたＣＳリソース又はアンテナ／レイヤ　イ　ンデックスに結び付けられることができる　→　直交カバーコードを使用　することに起因して，追加の動的シグナリングの必要はない
・直交カバーコードには２つの戦略（設定可能？）が存在する
　１．ＤＭ　ＲＳの直交性を優先
　２．ＣＳ消費を優先
　−双方の例が示される　　（表は省略）　　）
　上記記載及び図面並びに当業者の技術常識を考慮すると，
ａ　引用例はＬＴＥ−Ａｄｖａｎｃｅｄに関する提案であり，ＬＴＥ−Ａｄｖａｎｃｅｄは無線通信システムに係る標準規格であることは技術常識である。そして，上記（ア）の記載によれば，ＰＵＳＣＨ上のアップリンクＳＵ−ＭＩＭＯの参照信号（ＲＳ）の配置に関するものであり，また，上記（イ）の記載によれば，当該参照信号（ＲＳ）はＤＭ　ＲＳを含むことは明らかである。したがって，引用例には，「無線通信システムにおいてＰＵＳＣＨの上のＤＭ　ＲＳを送信する方法」について記載されていると認められる。
ｂ　上記（イ）の記載によれば，異なる空間レイヤ及びＴｘアンテナ間のＤＭ　ＲＳの多重化は２つのＣＤＭの原則に基づいてなされるものであるところ，その主たるものとして循環シフト（ＣＳ）分離が示され，上記（ウ）の記載によれば，追加のレイヤ／アンテナのためのＣＳリソースはシグナリングされたＣＳリソースから派生するものである。してみると，各レイヤがそれぞれ異なる循環シフトにより派生されたそれぞれ異なるＤＭ　ＲＳにより識別可能となるようなＣＤＭ（符号分割多重）がなされると解される。
　そして，上記（ウ）の表によれば，「ＤＭ　ＲＳ　Ｉｎｄｅｘ　０〜３」により示される４つのＤＭ　ＲＳが，「ＣＳ　Ｉｎｄｅｘ　０，３，６，９」で示されるそれぞれ異なる循環シフトと対応付けられていることが見て取れる。すなわち，「ＣＳ　Ｉｎｄｅｘ　０，３，６，９」により示されるそれぞれ異なる循環シフトが，それぞれ「ＤＭ　ＲＳ　Ｉｎｄｅｘ　０〜３」により示される４つのＤＭ　ＲＳに割り当てられているといえる。してみると，当該表中の「ＤＭ　ＲＳ　Ｉｎｄｅｘ　０〜３」により示される４つのＤＭ　ＲＳは，それぞれ各レイヤに関連するものであり，それぞれ「ＣＳ　Ｉｎｄｅｘ」に示される循環シフトに基づいて派生されていると解するのが自然である。
　したがって，引用例には，「ＤＭ　ＲＳ　Ｉｎｄｅｘ　０〜３により示される４つのＤＭ　ＲＳであって，前記ＤＭ　ＲＳ　Ｉｎｄｅｘ　０〜３により示される４つのＤＭ　ＲＳはそれぞれ各レイヤに関連し，ＣＳ　Ｉｎｄｅｘ　０，３，６，９により示される異なる循環シフトが，それぞれ，前記ＤＭ　ＲＳ　Ｉｎｄｅｘ　０〜３により示される４つのＤＭ　ＲＳに割り当てられている」ことが記載されていると認められる。
ｃ　上記（イ）の記載によれば，２つのＣＤＭの原則のうちの補足的な多重化スキームとして直交カバーコード（ＯＣＣ）分離が示され，上記（ウ）の表によれば，「ＤＭ　ＲＳ　Ｉｎｄｅｘ　０〜３」により示される４つのＤＭ　ＲＳは，それぞれ直交カバーコード［１　１］，［１　−１］，［１　１］，［１　−１］により更に分離されることが見て取れる。
　したがって，引用例には，「ＤＭ　ＲＳ　Ｉｎｄｅｘ　０〜３により示される４つのＤＭ　ＲＳは，それぞれ［１　１］，［１　−１］，［１　１］，［１　−１］により更に分離される」ことが記載されていると認められる。
ｄ　上記（ア）の記載によれば，ＤＭ　ＲＳはＰＵＳＣＨ上のアップリンクＳＵ−ＭＩＭＯの参照信号（ＲＳ）であるから，基地局に送信されるものであることは明らかである。
　また，上記（ウ）の表によれば，循環シフト（ＣＳ）はＣＳ　Ｉｎｄｅｘに基づいて決定されるといえる。
　また，直交カバーコード［１　１］によるＯＣＣ分離がなされる「ＤＭ　ＲＳ　Ｉｎｄｅｘ　０，２」により示される２つのＤＭ　ＲＳにそれぞれ割り当てられるＣＳ　Ｉｎｄｅｘ「０」と「６」とは「６」だけ離れており，直交カバーコード［１　−１］によるＯＣＣ分離がなされる「ＤＭ　ＲＳ　Ｉｎｄｅｘ　１，３」により示される２つのＤＭ　ＲＳにそれぞれ割り当てられるＣＳ　Ｉｎｄｅｘ「３」と「９」とは「６」だけ離れているといえる。
　そして，ＣＳ　Ｉｎｄｅｘ「３」は，ＣＳ　Ｉｎｄｅｘ「０」と「６」との中間値といえる。
　したがって，引用例には，「ＤＭ　ＲＳ　Ｉｎｄｅｘ　０〜３により示される４つのＤＭ　ＲＳを基地局に送信すること」，「４つのサイクリックシフト（ＣＳ）は，それぞれＣＳ　Ｉｎｄｅｘ　０，３，６，９に基づいて決定され，直交カバーコード［１　１］によるＯＣＣ分離がなされるＤＭ　ＲＳ　Ｉｎｄｅｘ　０，２により示される２つのＤＭ　ＲＳにそれぞれ割り当てられるＣＳ　Ｉｎｄｅｘ「０」と「６」とは「６」だけ離れており，直交カバーコード［１　−１］によるＯＣＣ分離がなされるＤＭ　ＲＳ　Ｉｎｄｅｘ　１，３により示される２つのＤＭ　ＲＳにそれぞれ割り当てられるＣＳ　Ｉｎｄｅｘ「３」と「９」とは「６」だけ離れており，ＣＳ　Ｉｎｄｅｘ「３」は，ＣＳ　Ｉｎｄｅｘ「０」と「６」との中間値である「３」だけ前記ＣＳ　Ｉｎｄｅｘ「０」およびＣＳ　Ｉｎｄｅｘ「６」の各々から離れている」といえる。
　以上を総合すると，引用例１には以下の発明（以下，「引用発明」という。）が記載されていると認める。
「無線通信システムにおいてＰＵＳＣＨ上のＤＭ　ＲＳを送信する方法であって，
　前記方法は，
　ＤＭ　ＲＳ　Ｉｎｄｅｘ　０〜３により示される４つのＤＭ　ＲＳであって，前記ＤＭ　ＲＳ　Ｉｎｄｅｘ　０〜３により示される４つのＤＭ　ＲＳはそれぞれ各レイヤに関連し，ＣＳ　Ｉｎｄｅｘ　０，３，６，９により示される異なる循環シフトが，それぞれ，前記ＤＭ　ＲＳ　Ｉｎｄｅｘ　０〜３により示される４つのＤＭ　ＲＳに割り当てられている，ことと，
　ＤＭ　ＲＳ　Ｉｎｄｅｘ　０〜３により示される４つのＤＭ　ＲＳは，それぞれ［１　１］，［１　−１］，［１　１］，［１　−１］により更に分離される，ことと，
　ＤＭ　ＲＳ　Ｉｎｄｅｘ　０〜３により示される４つのＤＭ　ＲＳを基地局に送信することと
　を含み，
　４つの循環シフト（ＣＳ）は，それぞれＣＳ　Ｉｎｄｅｘ　０，３，６，９に基づいて決定され，
　直交カバーコード［１　１］によるＯＣＣ分離がなされるＤＭ　ＲＳ　Ｉｎｄｅｘ　０，２により示される２つのＤＭ　ＲＳにそれぞれ割り当てられるＣＳ　Ｉｎｄｅｘ「０」と「６」とは「６」だけ離れており，
　直交カバーコード［１　−１］によるＯＣＣ分離がなされるＤＭ　ＲＳ　Ｉｎｄｅｘ　１，３により示される２つのＤＭ　ＲＳにそれぞれ割り当てられるＣＳ　Ｉｎｄｅｘ「３」と「９」とは「６」だけ離れており，
　前記ＣＳ　Ｉｎｄｅｘ「３」は，前記ＣＳ　Ｉｎｄｅｘ「０」と「６」との中間値である「３」だけ前記ＣＳ　Ｉｎｄｅｘ「０」およびＣＳ　Ｉｎｄｅｘ「６」の各々から離れている，方法。」
［公知の技術事項］
　同じく原査定の拒絶の理由に引用されたTexas Instruments，Discussion on UL DM RS for SU-MIMO（［当審仮訳］：ＳＵ−ＭＩＭＯのためのアップリンクＤＭ　ＲＳについての検討），3GPP TSG-RAN WG1 Meeting #57，２００９年５月４日，R1-091843には，図面とともに以下の事項が記載されている。
（ウ）「1. Introduction
　　This paper addresses some aspects of the uplink (UL) demodulation (DM) reference signal (RS) for the 3GPP Release 10 (LTE-A) in the context of supporting SU-MIMO transmission. We first note that transmission of up to 4 layers has already been agreed for LTE-A. Hence, the number of demodulation reference signal (DMRS) resources used ought to be equal to the number of layers in order to enable proper channel estimation. This contribution specifically elaborates on a) pre-coding of UL DM RS, and b) resource allocation for the UL DM RS, given the number of layers used for transmission. 
（中略）
2.2. Resources and Multiplexing for UL DM RS    
　　There are several options in terms of multiplexing UL DM RS. Three options are given in this section.
（中略）
Option 1: we first consider multiplexing only via the cyclic shifts. With such multiplexing principle, different layers are assigned different cyclic shifts as shown in Table 1. The assumption is that, for the sake of illustration, a single UE (no MU-MIMO) is scheduled with 4-layer transmission in a cell. While there are a total of 12 available cyclic shifts, only 4 are be used, as shown in Table 1. To maintain max-min cyclic shift separation, the spacing between cyclic shifts (e.g. C1 and C2) is 1/4 of the duration of the OFDM symbol. 
（中略）
Option 2: this option is a combination of cyclic shift and time-orthogonal code multiplexing, similar to PUCCH multiplexing in Rel8. The time?orthogonal code spans two consecutive slots of the sub-frame, and it can be {+1, +1} or {+1, -1}.
（中略）
Option 3: this option entails separation of different layers with different cyclic shifts and with different time-orthogonal codes. Multiplexing with Option 3 is shown in Table 3. Whenever a common time-orthogonal covering code is used, the cyclic shift separation of 1/2 OFDM symbol is maintained. For example, L1 and L3 have a large cyclic shift separation, and similarly, L2 and L4.  」（１／３ページ１〜８行，同ページ１６〜２３行，２／３ページ１〜３行，同ページ１３〜１６行）
（［当審仮訳］：
１．はじめに
　本稿では，ＳＵ−ＭＩＭＯ伝送をサポートする文脈で３ＧＰＰリリース１０（ＬＴＥ−Ａ）のためのアップリンク（ＵＬ）の復調（ＤＭ）参照信号（ＲＳ）のいくつかの側面に対処している。まず，最大４レイヤの送信がすでにＬＴＥ−Ａのために合意されていることに留意した。したがって，
使用される復調参照信号（ＤＭＲＳ）リソースの数は，適切なチャネル推定を可能にするために，レイヤの数に等しくなるようにすべきである
（中略）
２．２　アップリンクＤＭ　ＲＳのためのリソースと多重化
　アップリンクＤＭ　ＲＳの多重化の点でいくつかのオプションがある。３つのオプションがこのセクションで与えられている。
（中略）
オプション１： まず循環シフトのみによる多重化を検討する。このような多重化原則によれば，表１に示されるように異なるレイヤには異なるサイクリックシフトが割り当てられる。例示のため，単一のＵＥ（ＭＵ−ＭＩＭＯでない）はセルにおいて４レイヤ伝送にてスケジュールされると仮定する。
利用可能な循環シフトの総数は１２個であるが，表１に示されるように，４つだけが使用される。最大−最小循環シフト分離を維持するために，サイクリックシフト（例えば，Ｃ１及びＣ２）の間隔は，ＯＦＤＭシンボル継続時間の１／４である
（中略）
オプション２：このオプションは，Ｒｅｌ８におけるＰＵＣＣＨ多重化と同様に，循環シフトと時間直交符号多重化の組み合わせである。
時間直交符号は，サブフレームの２つの連続するスロットにわたり，｛＋１，＋１｝又は｛＋１，−１｝とすることができる。
（中略）
オプション３：このオプションは，
異なるレイヤを，異なるサイクリックシフトで分離すること，異なる時間直交符号で分離すること
共通の時間直交カバーコードが使用される際は，１／２ＯＦＤＭシンボルの循環シフト分離が維持される。例えば，Ｌ１とＬ３とは大きな循環シフト分離を有し，Ｌ２とＬ４についても同様である
　上記記載によれば，引用例２には，
「アップリンクＤＭ　ＲＳの多重化にかかる時間直交符号（｛＋１，＋１｝又は｛＋１，−１｝）は，サブフレームの２つの連続するスロットにわたること。」（以下，「公知事項１」という。），
「ＬＴＥ−Ａにおいて，利用可能な循環シフトの総数を１２個とすること。」（以下，「公知事項２」という。），
「共通の時間直交カバーコードが使用される際は，１／２ＯＦＤＭシンボルの循環シフト分離が維持され，同じ｛＋１，＋１｝が使用されるＬ１とＬ３とは大きな循環シフト分離を有し，同じ｛＋１，−１｝が使用されるＬ２とＬ４とは大きな循環シフト分離を有すること。」（以下，「公知事項３」という。），
が記載されていると認められる。
ウ　対比・判断
　補正後の発明と引用発明とを対比すると，
（ア）引用発明の「ＰＵＳＣＨ上のＤＭ　ＲＳ」と補正後の発明の「ＰＵＳＣＨ（ｐｈｙｓｉｃａｌ　ｕｐｌｉｎｋ　ｓｈａｒｅｄ　ｃｈａｎｎｅｌ）のためのＤＭＲＳ（ｄｅｍｏｄｕｌａｔｉｏｎ　ｒｅｆｅｒｅｎｃｅ　ｓｉｇｎａｌ）」とは，表現が異なるのみであって実質的な差異は無い。
（イ）引用発明の「ＤＭ　ＲＳ　Ｉｎｄｅｘ　０，２により示される２つのＤＭ　ＲＳ」は，直交カバーコード［１　１］によるＯＣＣ分離がなされるものであるから，１がかけられる点で補正後の発明の「第１および第２のＤＭＲＳシーケンス」に対応する。また，引用発明の「ＤＭ　ＲＳ　Ｉｎｄｅｘ　１，３により示される２つのＤＭ　ＲＳ」は，直交カバーコード［１　−１］によるＯＣＣ分離がなされるものであるから，−１がかけられる点で補正後の発明の「第３および第４のＤＭＲＳシーケンス」に対応する。
（ウ）「ＤＭ　ＲＳ　Ｉｎｄｅｘ　０〜３により示される４つのＤＭ　ＲＳ」は，ＣＤＭ（符号分割多重化）されるものであり，循環シフトが適用されるものであるから，「ＤＭＲＳシーケンス」といえる。
　そして，各ＤＭ　ＲＳに関連するレイヤを，各ＤＭ　ＲＳに対応してそれぞれ「第１，第２，第３および第４のレイヤ」と称すること，及び，各ＤＭ　ＲＳに割り当てられる異なる「ＣＳ　Ｉｎｄｅｘ」により示されるサイクリックシフトを，各ＤＭ　ＲＳに対応してそれぞれ「第１，第２，第３および第４の循環シフト」と称すること，は任意である。
（エ）引用発明の「ＣＳ　Ｉｎｄｅｘ」は，補正後の発明の「パラメータ」に相当する。
（オ）上記（イ）のとおりであるから，補正後の発明の「前記第１および第２のパラメータは，可能な循環シフトの総数に対応する最大値だけ離れており，前記第３および第４のパラメータは，可能な循環シフトの総数に対応する最大値だけ離れており，前記第３のパラメータは，前記第１のパラメータと前記第２のパラメータとの間の中間値だけ前記第１および第２のパラメータの各々から離れており」と引用発明の「直交カバーコード［１　１］によるＯＣＣ分離がなされるＤＭ　ＲＳ　Ｉｎｄｅｘ　０，２により示される２つのＤＭ　ＲＳにそれぞれ割り当てられるＣＳ　Ｉｎｄｅｘ「０」と「６」とは「６」だけ離れており，直交カバーコード［１　−１］によるＯＣＣ分離がなされるＤＭ　ＲＳ　Ｉｎｄｅｘ　１，３により示される２つのＤＭ　ＲＳにそれぞれ割り当てられるＣＳ　Ｉｎｄｅｘ「３」と「９」とは「６」だけ離れており，前記ＣＳ　Ｉｎｄｅｘ「３」は，前記ＣＳ　Ｉｎｄｅｘ「０」と「６」との中間値である「３」だけ前記ＣＳ　Ｉｎｄｅｘ「０」およびＣＳ　Ｉｎｄｅｘ「６」の各々から離れている」とは，下記の相違点３は別として，「前記第１および第２のパラメータは，ある値だけ離れており，前記第３および第４のパラメータは，ある値だけ離れており，前記第３のパラメータは，前記第１のパラメータと前記第２のパラメータとの間の中間値だけ前記第１および第２のパラメータの各々から離れており」の点で共通している。
　以上を総合すると，補正後の発明と引用発明とは，以下の点で一致し，また，相違している。
（一致点）
「無線通信システムにおいてＰＵＳＣＨ（ｐｈｙｓｉｃａｌ　ｕｐｌｉｎｋ　ｓｈａｒｅｄ　ｃｈａｎｎｅｌ）のためのＤＭＲＳ（ｄｅｍｏｄｕｌａｔｉｏｎ　ｒｅｆｅｒｅｎｃｅ　ｓｉｇｎａｌ）を送信する方法であって，
　前記方法は，
　前記第１，第２，第３および第４のＤＭＲＳシーケンスは，それぞれ，第１，第２，第３および第４のレイヤに関連し，第１，第２，第３および第４の循環シフトが，それぞれ，前記第１，第２，第３および第４のＤＭＲＳシーケンスに割り当てられている，ことと，
　第１および第２のＤＭＲＳシーケンスには，１がかけられ，第３および第４のＤＭＲＳシーケンスには，−１がかけられる，ことと，
　前記第１，第２，第３および第４のＤＭＲＳシーケンスを基地局に送信することと
　を含み，
　前記第１，第２，第３および第４の循環シフトは，それぞれ，第１，第２，第３および第４のパラメータに基づいて決定され，
　前記第１および第２のパラメータは，ある値だけ離れており，
　前記第３および第４のパラメータは，ある値だけ離れており，
　前記第３のパラメータは，前記第１のパラメータと前記第２のパラメータとの間の中間値だけ前記第１および第２のパラメータの各々から離れており，方法。」
（相違点１）
　補正後の発明は「第１，第２，第３および第４のＤＭＲＳシーケンスを生成すること」なる事項を備えているのに対して，引用発明は当該事項が明らかでない点。
（相違点２）
　補正後の発明は「２つのスロットに含まれるリソース要素（ＲＥ）に前記第１，第２，第３および第４のＤＭＲＳシーケンスをマッピングすること」なる事項を備え，１又は−１がかけられるは「２つのスロットのうちの第２のスロットにおいて」であるのに対し，引用発明は当該事項が明らかでない点。
（相違点３）
　一致点の「ある値」について，補正後の発明は「可能な循環シフトの総数に対応する最大値」であり，「前記可能な循環シフトの総数は１２である」のに対し，引用発明は「６」であり，当該「６」の意味が明らかにされてない点。
　以下，上記各相違点について検討する。
（相違点１について）
　引用例の記載によれば，第１のレイヤ／アンテナのＣＳはシグナリングされたＲｅｌ’８のＣＳリソースが対応し，追加のレイヤ／アンテナのためのＣＳリソースは，シグナリングされたＣＳリソースから派生するのであるから（上記イ（ウ）参照。），ダウンリンクのシグナリングに基づいてアップリンクに用いるＤＭ　ＲＳを生成していると解するのが自然であるし，また，ＤＭ　ＲＳを生成することは当業者が容易になし得ることに過ぎない。したがって，相違点１には実質的な差異は無い，あるいは容易になし得ることに過ぎない。
（相違点２について）
　引用例にはＯＣＣにおいて［１　１］，［１　−１］がどのように用いられるのか具体的な説明はされていないが，公知事項１のとおり「アップリンクＤＭ　ＲＳの多重化にかかる時間直交符号（｛＋１，＋１｝又は｛＋１，−１｝）は，サブフレームの２つの連続するスロットにわたる。」ことが公知であり，ＬＴＥ−Ａｄｖａｎｃｅｄのサブフレームが２つのスロットからなることを参酌すれば，引用発明においても，２つのスロットに含まれるリソース要素（ＲＥ）に４つのＤＭ　ＲＳをマッピングし，１又は−１がかけられるは２つのスロットのうちの第２のスロットであると解するのが自然であるし，そのようにすることは当業者が容易になし得ることである。したがって，相違点２には実質的な差異は無い，あるいは容易になし得ることである。
（相違点３について）
　公知事項２，３のとおり，「ＬＴＥ−Ａにおいて，利用可能なサイクリックシフトの総数を１２個とすること。」及び「共通の時間直交カバーコードが使用される際は，１／２ＯＦＤＭシンボルの循環シフト分離が維持され，同じ｛＋１，＋１｝が使用されるＬ１とＬ３とは大きな循環シフト分離を有し，同じ｛＋１，−１｝が使用されるＬ２とＬ４とは大きなサイクリックシフト分離を有する。」ことが公知である。当該公知事項２，３によれば，利用可能な循環シフトの総数が１２個の場合，その半分の６個に対応する１／２ＯＦＤＭシンボルの循環シフト分離が可能な循環シフトの総数に対応する最大値といえ，また，同じ時間直交符号が使用されるものについては直交符号による分離効果が得られないことから，循環シフト分離による効果を最大化していると解するのが自然である。
　してみると，引用発明において直交カバーコード［１　１］によるＯＣＣ分離がなされるＤＭ　ＲＳ　Ｉｎｄｅｘ　０，２により示される２つのＤＭ　ＲＳにそれぞれ割り当てられるＣＳ　Ｉｎｄｅｘ「０」と「６」とは「６」だけ離れており，直交カバーコード［１　−１］によるＯＣＣ分離がなされるＤＭ　ＲＳ　Ｉｎｄｅｘ　１，３により示される２つのＤＭ　ＲＳにそれぞれ割り当てられるＣＳ　Ｉｎｄｅｘ「３」と「９」とは「６」だけ離れているのは，利用可能な循環シフトの総数が１２個であることを前提に，同じ直交カバーコードが使用されるＤＭ　ＲＳについては循環シフト分離による効果を最大化しているものと解するのが自然である。また，そのようにすることは当業者が容易になし得ることである。
　したがって，相違点３には実質的な差異は無い，あるいは容易になし得ることである。
　そして，補正後の発明の作用効果も，引用発明及び公知の技術事項に基づいて当業者が予測できる範囲のものである。
　なお，請求人は，審判請求の理由において，「引用文献１の第５頁には，「Orthogonal　cover　codes　can　be　tied　to　the　reserved　CS　resources　or　antenna/layer　index　-　no　need　for　additional　dynamic　signalling　due　to　use　of　orthogonal　cover　codes（直交カバーコードは，予約されたＣＳリソースまたはアンテナ／レイヤインデックスに結び付けられ得る→直交カバーコードの使用に起因した追加のダイナミックシグナリングの必要性なし）」と記載されており，引用文献１の第５頁の２つ目の表にＲＳ直交性を優先する１つの解決策が開示されています。そして，上記記載にも示されるように追加のダイナミックシグナリングを必要なくするためには，直交カバーコード（つまり，［１　１］または［１　−１］）を予約されたＣＳリソースまたはアンテナ／レイヤインデックスに結び付ける必要があります。すなわち，
アンテナ／レイヤインデックスは，単なるインデックスではなく，対応する直交カバーコードを暗に示す特徴を有するものなのです
引用文献１は，「ＣＳ　ｉｎｃｒｅｍｅｎｔ＝３」と明示的に開示しています。つまり，ＣＳインデックス０，３，６，９がＤＭＲＳインデックス０，１，２，３にシーケンシャルに適用されるのです。そして，全てのＣＳインデックスの相互間の分離が同じ（つまり，３）です。
引用文献１のＤＭＲＳインデックス０，２は，補正後の請求項１の第１，第２のＤＭＲＳシーケンスには対応することはできず，ＤＭＲＳインデックス１，３は，補正後の請求項１の第３，第４のＤＭＲＳシーケンスには対応することはできません。
　さらに，補正後の請求項１は，例えば本願の表３０に記載される循環シフトを請求するものです。
そのようなＣＳ割り当ては，レイヤの個数に関係なしに第１のレイヤ循環シフトと第２のレイヤ循環シフトとの間隔が最大になるようにＣＳを割り当てることを意図したものです
ＤＭＲＳシーケンスのインデックスは，単なるインデックスではなく，ＤＭＲＳシーケンスの順序を示す特徴を有するものです
引用文献１のＤＭＲＳインデックス０，２は，補正後の請求項１の第１，第２のＤＭＲＳシーケンスには対応することはできず，ＤＭＲＳインデックス１，３は，補正後の請求項１の第３，第４のＤＭＲＳシーケンスには対応することはできません。
　しかしながら，特許請求の範囲の請求項１の記載からは，「第１，第２，第３，第４のＤＭＲＳシーケンス」については，それぞれ「第１，第２，第３および第４のレイヤ」が関連すること，それぞれ「第１，第２，第３および第４の循環シフト」が割り当てられること，ＯＣＣ関して，第１および第２のＤＭＲＳシーケンスには１がかけられ，第３および第４のＤＭＲＳシーケンスには−１がかけられることが読み取れるだけである。そして，「第１，第２，第３および第４のレイヤ」の「第１」〜「第４」については，何も定義されていなく，例えば各レイヤーの物理的な位置関係やチャネル品質の関係等の特段の意味は一切見出せず，単に４つのレイヤを区別するためだけに用いられていると解するのが相当である。また，「第１，第２，第３および第４の循環シフト」は，ＯＣＣに関して同じく１がかけられる第１および第２のＤＭＲＳシーケンスに対応する第１，第２の循環シフトに係るパラメータが可能な循環シフトの総数に対応する最大値だけ離れており，同様に，ＯＣＣに関して同じく−１がかけられる第３および第４のＤＭＲＳシーケンスに対応する第３，第４の循環シフトに係るパラメータが可能な循環シフトの総数に対応する最大値だけ離れていることが読み取れるだけである。
　してみると，補正後の発明における「第１，第２，第３，第４のＤＭＲＳシーケンス」は，ＯＣＣに関して１がかけられる２つのＤＭＲＳシーケンスを「第１，第２のＤＭＲＳシーケンス」として区別し，−１がかけられるか２つのＤＭＲＳシーケンスを「第３，第４のＤＭＲＳシーケンス」として区別しているにすぎず，それ以上の意味を「第１」〜「第４」の記載から読み取ることはできない。
　したがって，請求人の主張は特許請求の範囲の記載に基づかない主張であり，採用できない。
　以上のとおり，補正後の発明は，引用発明及び公知の技術事項に基づいて当業者が容易に発明をすることができたものであるから，特許法第２９条第２項の規定により特許出願の際独立して特許を受けることができないものである。
３　結語
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
第３　本願発明について
１　本願発明
　平成２６年９月２９日付けの手続補正は上記のとおり却下されたので，本願発明は，上記「第２　補正却下の決定」の項中の「１　本願発明と補正後の発明」の項の「本願発明」のとおりのものと認める。
２　引用発明
　引用発明及び公知の技術事項は，上記「第２　補正却下の決定」の項中の「２　補正の適否」の項中の「（２）独立特許要件」の項中の「イ　引用発明及び公知の技術事項」の項で認定したとおりである。
３　対比・判断
　そこで，本願発明と引用発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明及び公知の技術事項に基づいて容易に発明できたものであるから，本願発明も同様の理由により，容易に発明できたものである。
４　むすび
　以上のとおり，本願発明は，引用発明及び公知の技術事項に基づいて当業者が容易に発明をすることができたものであるから，特許法第２９条第２項の規定により，特許を受けることができない。
　よって，結論のとおり審決する。